(57)【要約】      （修正有）【課題】月経周期を容易に把握することができる情報提示装置、情報提示方法、及び、情報提示プログラムを提供する。【解決手段】情報を提示する提示部２０と、対象者の生体排出物に含まれている物質の濃度を測定した結果に基づいて、脂質代謝を導出する導出部１１０と、導出部により導出された脂質代謝に基づき、対象者が該当する月経周期内の位置を判定する判定部１１２と、判定部による判定結果に基づく情報を、前記提示部に提示させる提示制御部１１４と、を備える。【選択図】図５
2016087170.tif 000002
【特許請求の範囲】
【請求項１】
情報を提示する提示部と、
対象者の生体排出物に含まれている物質の濃度を測定した結果に基づいて、脂質代謝を導出する導出部と、
前記導出部により導出された前記脂質代謝に基づき、前記対象者が該当する月経周期内の位置を判定する判定部と、
前記判定部による判定結果に基づく情報を、前記提示部に提示させる提示制御部と、
を備える情報提示装置。
【請求項２】
前記判定部は、前記導出部により導出された前記脂質代謝と、月経周期に応じて変化する周期代謝とを比較した比較結果に基づき、前記対象者が該当する月経周期内の位置を判定する請求項１に記載の情報提示装置。
【請求項３】
前記判定部は、
予め設定された設定情報に基づき測定日が該当する月経周期内の位置を予測し、予測した月経周期内の位置に応じて、前記脂質代謝と比較される前記周期代謝の値を変更する請求項２に記載の情報提示装置。
【請求項４】
前記判定部は、
前記導出部により導出された前記脂質代謝と前記周期代謝との差分に基づき、前記対象者の脂質代謝が基準値よりも高いかあるいは低いかを判定する請求項２または３に記載の情報提示装置。
【請求項５】
前記判定部は、
前記導出部により導出された前記脂質代謝と、月経周期のうち代謝が低い低代謝時期の脂質代謝との比較結果に基づき、前記対象者が該当する月経周期内の位置が排卵期であるか否かを判定する請求項１から４のうちいずれか一項に記載の情報提示装置。
【請求項６】
前記判定部は、
前記導出部により導出された前記脂質代謝と、月経周期のうち代謝が高い高代謝時期の脂質代謝との比較結果に基づき、前記対象者が該当する月経周期内の位置が月経期に近いか否かを判定する請求項１から５のうちいずれか一項に記載の情報提示装置。
【請求項７】
前記判定部は、
判定された月経周期内の位置が黄体期である場合、前記導出部により導出された前記脂質代謝が、月経周期のうち代謝が高い高代謝時期の脂質代謝よりも低いならば、前記対象者の脂質代謝が前記基準値よりも低いと判定し、高代謝時期の脂質代謝よりも高いならば、前記対象者の脂質代謝が前記基準値よりも高いと判定する請求項４に記載の情報提示装置。
【請求項８】
前記判定部は、
判定された月経周期内の位置が卵胞期である場合、前記導出部により導出された前記脂質代謝が、月経周期のうち代謝が低い低代謝時期の脂質代謝よりも低いならば、前記対象者の脂質代謝が前記基準値よりも低いと判定し、低代謝時期の脂質代謝よりも高いならば、前記対象者の脂質代謝が前記基準値よりも高いと判定する請求項４または７に記載の情報提示装置。
【請求項９】
前記提示部は、
前記判定部により判定された月経周期に応じたトレーニングまたはダイエットのうち少なくとも一つを提示する請求項１から８のうちいずれか一項に記載の情報提示装置。
【請求項１０】
前記提示部は、
前記対象者の体重および体組成のうち少なくとも一方の推移に基づき、前記判定部により判定された月経周期に応じたダイエットの評価を提示する請求項１から９のうちいずれか一項に記載の情報提示装置。
【請求項１１】
情報提示装置における情報提示方法であって、
対象者の生体排出物に含まれている物質の濃度を測定した結果に基づいて、脂質代謝を導出する導出ステップと、
前記導出ステップにおいて導出された前記脂質代謝に基づき、前記対象者が該当する月経周期内の位置を判定する判定ステップと、
前記判定ステップによる判定結果に基づく情報を、提示部に提示させる提示制御ステップと、
を備える情報提示方法。
【請求項１２】
コンピュータに、
対象者の生体排出物に含まれている物質の濃度を測定した結果に基づいて、脂質代謝を導出する導出手順、
前記導出手順において導出された前記脂質代謝に基づき、前記対象者が該当する月経周期内の位置を判定する判定手順、
前記判定手順による判定結果に基づく情報を、提示部に提示させる提示制御手順、
を実行させるための情報提示プログラム。
【発明の詳細な説明】
【技術分野】
【０００１】
本発明は、情報提示装置、情報提示方法、及び、情報提示プログラムに関する。
【背景技術】
【０００２】
従来、起床時に測定された基礎体温に基づき排卵日を予測する女性体温計が知られている（例えば、特許文献１参照）。
【先行技術文献】
【特許文献】
【０００３】
【特許文献１】特開２０１２−０２４２０７号公報
【発明の概要】
【発明が解決しようとする課題】
【０００４】
しかしながら、基礎体温の変化は微小であり、起床直後に測定が完了するまでの数分間、体を動かさない状態のままでいなければならず、手間であった。
【０００５】
本発明は、このような事情を考慮してなされたものであり、月経周期を容易に把握することができる情報提示装置、情報提示方法、及び、情報提示プログラムを提供することを目的の一つとする。
【課題を解決するための手段】
【０００６】
本発明の一態様は、情報を提示する提示部と、対象者の生体排出物に含まれている物質の濃度を測定した結果に基づいて、脂質代謝を導出する導出部と、前記導出部により導出された前記脂質代謝に基づき、前記対象者が該当する月経周期内の位置を判定する判定部と、前記判定部による判定結果に基づく情報を、前記提示部に提示させる提示制御部と、を備える情報提示装置である。
【発明の効果】
【０００７】
本発明の一態様によれば、月経周期を容易に把握することができる。
【図面の簡単な説明】
【０００８】
【図１】第１の実施形態における、ガス測定装置を表側から見た外観構成図である。
【図２】第１の実施形態における、ガス測定装置を裏側から見た外観構成図である。
【図３】第１の実施形態における、半導体式ガスセンサユニットが取り外された状態のガス測定装置の外観構成図である。
【図４】第１の実施形態における、ガス測定装置の制御関係の構成図である。
【図５】第１の実施形態における、情報提示装置の構成図である。
【図６】情報提示装置が利用する、アセトンの濃度と脂肪の燃焼量との関係を示す図である。
【図７】月経周期に応じて変化する基礎体温と周期代謝との関係を示す図である。
【図８】情報提示装置１００の動作を示すフローチャートである。
【図９】図８に示すフローチャートに含まれる一部の処理を示すフローチャートである。
【図１０】図９に示すフローチャートに含まれる一部の処理を示すフローチャートである。
【図１１】判定部１１２により月経周期が判定された後の処理を示すフローチャートである。
【図１２】図１１に示すフローチャートに含まれる一部の処理を示すフローチャートである。
【図１３】判定部１１２により月経周期が判定された後の他の処理を示すフローチャートである。
【図１４】一の表示例を示す図である。
【図１５】他の表示例を示す図である。
【図１６】他の表示例を示す図である。
【図１７】他の表示例を示す図である。
【図１８】第２の実施形態における、情報提示装置の構成図である。
【発明を実施するための形態】
【０００９】
以下、図面を参照し、本発明のガス測定装置（対象者の呼気等の生体排出物に含まれている特定のガス成分を測定する装置）と情報提示装置の実施形態について説明する。必要に応じてＸＹＺ座標系を用いて図示および説明を行う。
【００１０】
（第１の実施形態）
第１の実施形態では、情報提示装置はガス測定装置に内蔵されるものとして説明する。
【００１１】
図１は、第１の実施形態における、ガス測定装置１を表側から見た外観構成図である。ガス測定装置１は、対象者によってカバー部３が図中Ｘ方向にスライド操作されることによって、開状態と閉状態のいずれかに保持される。なお、図１の左図はガス測定装置１の開状態を示し、図１の右図はガス測定装置１の閉状態を示している。
【００１２】
ガス測定装置１は、本体部２と、閉状態において本体部２の一部を覆うカバー部３とを備える。本体部２の第１面における、開状態においてのみ露出する部分には、吹き込み口１０と、提示部２０と、操作部３０とが設けられている。
【００１３】
開状態のガス測定装置１には、中空構造のアタッチメント１２が、吹き込み口１０に着脱可能に挿入されて取り付けられる。更に、アタッチメント１２には、ストロー（不図示）が装着される。このストロー及びアタッチメント１２を介して、対象者の呼気が、吹き込み口１０に吹き込まれる。
【００１４】
なお、吹き込み口１０には、ストローを装着しない形態のアタッチメント１２を介して、対象者の呼気が吹き込まれてもよい。また更に、吹き込み口１０は、アタッチメント１２を取り付けない形態でもよい。アタッチメント１２を取り付けない形態では、対象者の呼気は、吹き込み口１０に直接吹き込まれる。
【００１５】
提示部２０は、例えば、液晶ディスプレイ装置や有機ＥＬ（Electroluminescence）表示装置などの表示装置である。提示部２０の表示内容は、後述するＣＰＵ９０によって決定される。提示部２０は、設定画面、測定結果を示す画面等により、対象者に対して各種情報を表示する表示部を備える。提示部２０は、音声を出力する音声出力部を備えてもよい。操作部３０は、対象者による各種操作（電源のオンオフ、ユーザ情報等の入力、画面のスクロール等）を受け付ける。操作部３０に対してなされた操作の内容は、操作信号として、後述するＣＰＵ９０に出力される。
【００１６】
また、ガス測定装置１の本体部２には、閉状態においてカバー部３と連続した表面形状をなすように形成されたベース部５が形成されている。ベース部５のカバー部３に当接する側の端部には、カバー部３の端部に対応する形状を有し、閉状態においてカバー部３と密着して気密性を向上させるための部材６が取り付けられている。部材６は、例えば、ゴム（例えば、シリコンゴム）、エラストマーなどの弾性素材によって形成される。部材６には、図中Ｙ方向に関する中央部付近において、対象者が開操作をしやすいように、図中−Ｘ方向に進むに連れて＋Ｚ方向にせり上がる傾斜を有する、つまみ部６Ａが設けられている。
【００１７】
図２は、第１の実施形態における、ガス測定装置１を裏側から見た外観構成図である。図２の左図はガス測定装置１の開状態を示し、図２の右図はガス測定装置１の閉状態を示している。本体部２の第２面における、開状態においてのみ外部に露出する部分には、吸着剤収容部５０と、孔部５２、５４、５６が設けられている。なお、図２において、つまみ部６Ａは、図中−Ｘ方向に進むに連れて−Ｚ方向にせり上がる傾斜を有する。
【００１８】
吸着剤収容部５０の内部には、活性炭等のガス吸着剤が収容される。ガス測定装置１の閉状態において、活性炭が収容された空間は、孔部５２、本体部２とカバー部３の隙間、および孔部５４または５６を介して、後述する半導体式ガスセンサ（第１ガスセンサ）６６の置かれた空間と連通し、閉鎖空間を形成する。これによって、ガス測定装置１が閉状態にされている間、半導体式ガスセンサ６６の置かれた閉鎖空間から各種ガス成分が除去され、半導体式ガスセンサ６６の被毒や劣化を抑制することができる。なお、活性炭に代えて（または加えて）、ゼオライト、モレキュラーシーブ、シリカゲル等のガス吸着剤が収容されてもよい。
また、活性炭が収容された空間と、後述する第２センサ７２の置かれた空間とが連通して形成された閉鎖空間によって、第２センサ７２に対して被毒や劣化を抑制することもできる。
【００１９】
ガス測定装置１には、本体部２に対して着脱可能（交換可能）な半導体式ガスセンサユニット６０が取り付けられる。図３は、第１の実施形態における、半導体式ガスセンサユニット６０が取り外された状態のガス測定装置１の外観構成図である。半導体式ガスセンサユニット６０は、本体部２に嵌合可能な筐体６２の内部に、半導体式ガスセンサ６６の他、センサ基板や制御回路を収容している。半導体式ガスセンサ６６は、筐体６２に設けられた孔部６２Ａを介して筐体６２の外部に検知面を突出させる。半導体式ガスセンサ６６の検知面には、酸化スズ（ＳｎＯ２）などが形成されており、アセトンなどの検出対象ガス、あるいはその他の干渉ガスが触れると、電気抵抗が低下するようになっている。また、半導体式ガスセンサ６６は、ヒータおよび電極を備える。半導体式ガスセンサ６６は、検知面における電気抵抗の低下に基づいて、検出対象ガスの濃度を検出する。
【００２０】
対象者の呼気には、ケトン体、エタノール、アセトアルデヒド等の様々な種類のガスが含まれている。半導体式ガスセンサ６６は、例えば、ケトン体の一種であるアセトンに対して高い感度を示す。アセトンは脂質代謝の副産物であり、呼気に含まれているアセトンの濃度は脂質代謝の量を示す指標値となる。体内に糖質エネルギーが十分に存在する場合には脂肪が燃焼されないため、呼気に含まれるアセトンの濃度は低くなり、体内に糖質エネルギーが不足すると脂肪が燃焼されるため、呼気に含まれるアセトンの濃度は高くなる。
【００２１】
ここで、本体部２の表面、カバー部３、および半導体式ガスセンサユニット６０の筐体は、例えば、ＡＢＳ（Acrylonitrile  Butadiene  Styrene）樹脂やポリカーボネード等で形成される。また、部材６は、例えば、ゴム（例えば、シリコンゴム）やエラストマー等の弾性部材である。また、提示部２０の表面は、例えば、ＡＳ（Acrylonitrile  Styrene）樹脂やアクリル樹脂などで形成される。また、操作部３０のボタン部は、ＡＢＳ樹脂やシリコンゴム等で形成される。
【００２２】
図４は、第１の実施形態における、ガス測定装置１の制御関係の構成図である。ガス測定装置１は、前述した構成の他、第２センサ７２、タイマ８２、電源８４、ＣＰＵ（Central  Processing  Unit）９０、ＲＯＭ（Read  Only  Memory）９２、ＲＡＭ（Random  Access  Memory）９４、不揮発性メモリ９６などを備える。これらの構成要素は、Ｉ／Ｏ９８を介して通信可能に接続されている。
【００２３】
第２センサ７２は、半導体式ガスセンサ６６とは被毒寿命が異なるセンサである。ＣＰＵ９０は、ガス測定装置１の各部を制御する。ＣＰＵ９０は、例えば、半導体式ガスセンサ６６の検出値と、第２センサ７２の検出値との双方を加味して、ガス測定装置１の測定結果を確定する処理を行う。ＲＯＭ９２には、ＣＰＵ９０が実行するブートプログラムなどが格納されている。ＲＡＭ９４は、ＣＰＵ９０が処理を行う際のワーキングメモリとして機能する。不揮発性メモリ９６には、ＣＰＵ９０が実行するプログラムやガス測定装置１が保持する対象者のデータなどが格納される。対象者のデータは、例えば、対象者の身体に蓄積されている脂肪（体脂肪）の体積を表す情報や、対象者の体格を表す情報（体格指数）である。
【００２４】
情報提示装置１００の詳細について説明する。
図５は、第１の実施形態における、情報提示装置１００の構成図である。上述したように、第１の実施形態において、情報提示装置１００は、ガス測定装置１に内蔵されている。情報提示装置１００は、ＣＰＵ（Central Processing Unit）９０と、ＲＡＭ９４と、Ｉ／Ｏ９８と、提示部２０とを備える。ＣＰＵ９０は、情報提示装置１００の動作を統括的に制御する制御部である。情報提示装置１００は、ＣＰＵ９０がプログラムを実行することにより機能する機能部として、導出部１１０と、判定部１１２と、提示制御部１１４とを備える。また、これら機能部の一部又は全部は、ＬＳＩ（Large Scale Integration）やＡＳＩＣ（Application Specific Integrated Circuit）などのハードウェア機能部であってもよい。
【００２５】
図６は、情報提示装置１００が利用する、アセトンの濃度と脂肪の燃焼量との関係を示す図である。横軸は、「アセトン濃度［ppb］×基準となる経過時間」を示す。縦軸は、脂肪の燃焼量［Δkg］を示す。脂肪の燃焼量は、脂質代謝の程度を示す一例である。図６の実線に示す関係は、２次式（曲線近似式）である評価式（１）によって表現される。導出部１１０は、評価式（１）に基づいて、基準時間経過後の脂質代謝ｙ１を導出する。基準時間は、例えば、１時間、２４時間又は３日間などの予め定められた時間である。なお、導出部１１０は、ルックアップテーブルを利用して、基準時間経過後の脂質代謝ｙ１を導出してもよい。また、導出部１１０は、関数演算を実行することによって、各種の値を導出してもよい。
【００２６】
基準時間経過後の脂質代謝ｙ１［Δkg］
＝ｋ１（Ｉ×ｔ）２＋ｋ２（Ｉ×ｔ）+ｋ３    …（１）
【００２７】
ここで、Ｉは、ケトン体の濃度を示す。このケトン体は、例えば、アセトンである。ｔは、基準となる経過時間を示す。ｋ１、ｋ２、及びｋ３は、それぞれ係数である。図６に示すＲは、相関係数を示す。上述したように、脂質代謝と、生体排出物（呼気）に含まれているアセトンの濃度との間には、正の相関関係がある。
【００２８】
また、図６の破線に示す関係は、１次式（直線近似式）である評価式（２）によって表現される。導出部１１０は、評価式（２）に基づいて、脂質代謝ｙ１を導出してもよい。評価式（２）に示すＩは、ケトン体の濃度を示す。ｔは、基準となる経過時間を示す。ｋ４及びｋ５は、それぞれ係数である。
【００２９】
基準時間経過後の脂質代謝ｙ１［Δkg］＝ｋ４（Ｉ×ｔ）+ｋ５    …（２）
【００３０】
なお、導出部１１０は、３次以上の評価式に基づいて、脂質代謝ｙ１を導出してもよいし、指数関数や対数関数等に基づいて脂質代謝ｙ１を導出してもよい。また、導出部１１０は、「１／（呼気に含まれているケトン体の濃度×時間）」のように逆数をとる曲線近似式に基づいて、脂質代謝ｙ１を導出してもよい。
【００３１】
追い込んだダイエットによってケトン体の濃度が基準濃度よりも高い場合や、脂質代謝の長期的な変化を推定する場合には、直線近似式よりも曲線近似式のほうが、正確性が向上する可能性がある。そこで、導出部１１０は、一例として、２次式（曲線近似式）である評価式（１）に基づく評価式（３）によって、１日あたりの脂質代謝ｙ１を導出する。評価式（３）において、ｔ’は、基準時間の一例としての１日（２４時間）を示す。基準となる経過時間ｔと、係数ｋ１と、係数ｋ２とを、例えば１日を１分単位で表現して定める場合、ｔ’は１４４０（＝６０×２４）である。
【００３２】
１日あたりの脂質代謝ｙ１［g/day］
＝ｋ１（Ｉ×ｔ’）２＋ｋ２（Ｉ×ｔ’）＋ｋ３    …（３）
【００３３】
図７は、月経周期に応じて変化する基礎体温と周期代謝との関係を示す図である。周期代謝とは、月経周期に応じて変化する代謝のことである。
月経周期には、月経期、卵胞期、排卵期、および黄体期が含まれる。基礎体温は、排卵前に比べて、排卵後が高くなる。これは、女性ホルモンの影響によるもので、排卵前の基礎体温が低い期間を「低温相」といい、排卵後の基礎体温が高い期間を「高温相」という。低温相と高温相の体温の差は、１℃以下の微小な変化であり、専用の婦人体温計等で測定される。周期代謝も、排卵前に比べて、排卵後が高くなる。これは、女性ホルモンや基礎体温の変化によるものである。排卵前の周期代謝が低い期間を「低代謝時期」といい、排卵後の周期代謝が高い期間を「高代謝時期」という。「低代謝時期」の代謝と、「高代謝時期」の代謝は、何らかの体調変化や大きな生活行動の変化がなければ、安静時では概ね一定となる。
【００３４】
本実施形態において、低代謝時期の脂質代謝を「ｙＬ」、高代謝時期の脂質代謝を「ｙＨ」と記す。
低代謝時期の脂質代謝ｙＬは、例えば、卵胞期に計測された脂質代謝である。なお、卵胞期に計測された脂質代謝の値が複数ある場合、これら複数の脂質代謝の値の平均値を、脂質代謝ｙＬとしてもよい。
高代謝時期の脂質代謝ｙＨは、例えば、黄体期に計測された脂質代謝である。なお、黄体期に計測された脂質代謝の値が複数ある場合、これら複数の脂質代謝の値の平均値を、脂質代謝ｙＨとしてもよい。
脂質代謝ｙＬと脂質代謝ｙＨとは、導出部１１０により導出された脂質代謝に基づき、判定部１１２により設定され、ＲＡＭ９４に格納される。
【００３５】
次に、図７に示される係数Ａ〜Ｆと、判定部１１２の処理との関係について説明する。
判定部１１２は、脂質代謝ｙＬまたは脂質代謝ｙＨと、導出部１１０により導出された脂質代謝とを比較することにより、対象者が該当する月経周期内の位置を判定する。実施形態において、判定部１１２は、脂質代謝ｙＬおよび脂質代謝ｙＨに対して予め決められた係数を加算または減算した値と、導出部１１０により導出された脂質代謝とを比較する。これにより、低代謝時期または高代謝時期における代謝の変動分を加味して、対象者が該当する月経周期内の位置を判定することができる。予め決められた係数は、ＲＡＭ９４に格納されている。なお、以下に説明する係数は一例であり、これに限られない。
【００３６】
例えば、判定部１１２は、低代謝時期において、脂質代謝ｙＬよりも係数Ａ小さい閾値（ｙＬ−Ａ）から係数Ａ大きい閾値（ｙＬ＋Ａ）までの範囲内に、導出部１１０により導出された脂質代謝がある場合、卵胞期であると判定する。係数Ａは、脂質代謝ｙＬと脂質代謝ｙＨとの差分よりも小さい。実施形態において、係数Ａは、脂質代謝ｙＬと脂質代謝ｙＨとの差分の半分未満であることが好ましい。ここで、測定日から予測される月経周期が排卵期に近い場合、判定部１１２は、卵胞期のなかでも、卵胞期の後期であると判定することができる。また、測定日から予測される月経周期が月経期に近い場合、判定部１１２は、卵胞期のなかでも、卵胞期の初期であると判定することができる。
【００３７】
判定部１１２は、低代謝時期において、脂質代謝ｙＬよりも係数Ｂ大きい閾値（ｙＬ＋Ｂ）以上の範囲内に、導出部１１０により導出された脂質代謝がある場合、黄体期であると判定する。係数Ｂは、係数Ａよりは大きく、脂質代謝ｙＬと脂質代謝ｙＨとの差分よりも小さい。実施形態において、係数Ｂは、脂質代謝ｙＬと脂質代謝ｙＨとの差分の半分以上であることが好ましい。ここで、測定日から予測される月経周期が排卵期に近い場合、判定部１１２は、黄体期のなかでも、黄体期の初期であると判定することができる。また、測定日から予測される月経周期が月経期に近い場合、判定部１１２は、黄体期のなかでも、黄体期の後期であると判定することができる。
【００３８】
判定部１１２は、低代謝時期において、脂質代謝ｙＬよりも係数Ａ小さい閾値（ｙＬ−Ａ）から係数Ａ大きい閾値（ｙＬ＋Ａ）までの範囲内、及び、脂質代謝ｙＬよりも係数Ｂ大きい閾値（ｙＬ＋Ｂ）以上の範囲内の両方に、導出部１１０により導出された脂質代謝がない場合、排卵期であると判定する。
【００３９】
判定部１１２は、高代謝時期において、脂質代謝ｙＨよりも係数Ｃ小さい閾値（ｙＬ−Ｃ）未満の範囲内に、導出部１１０により導出された脂質代謝がある場合、黄体期の初期または後期であると判定する。高代謝時期において、脂質代謝ｙＨよりも係数Ｃ小さい閾値（ｙＬ−Ｃ）以上の範囲内に、導出部１１０により導出された脂質代謝がある場合、判定部１１２は、黄体期の中期であると判定する。
係数Ｃは、脂質代謝ｙＬと脂質代謝ｙＨとの差分よりも小さい。実施形態において、係数Ｃは、脂質代謝ｙＬと脂質代謝ｙＨとの差分の半分以上であることが好ましい。ここで、測定日から予測される月経周期が排卵期に近い場合、判定部１１２は、黄体期の初期（つまり、月経期が遠い）と判定することができる。また、測定日から予測される月経周期が月経期に近い場合、判定部１１２は、黄体期の後期（つまり、月経期が近い）と判定することができる。
【００４０】
また、判定部１１２は、脂質代謝ｙＬまたは脂質代謝ｙＨと、導出部１１０により導出された脂質代謝とを比較することにより、対象者の脂質代謝が高いか低いかを判定する。本実施形態において、判定部１１２は、脂質代謝ｙＬおよび脂質代謝ｙＨに対して予め決められた係数を加算または減算した値と、導出部１１０により導出された脂質代謝とを比較する。これにより、低代謝時期または高代謝時期における代謝の変動分を加味して、対象者の脂質代謝が高いか低いかを判定することができる。予め決められた係数は、ＲＡＭ９４に格納されている。なお、以下に説明する係数は一例であり、これに限られない。
【００４１】
例えば、判定部１１２は、高代謝時期において、脂質代謝ｙＨよりも係数Ｄ小さい閾値（ｙＨ−Ｄ）未満の範囲内に、導出部１１０により導出された脂質代謝がある場合、対象者の脂質代謝が低いと判定する。また、判定部１１２は、高代謝時期において、脂質代謝ｙＨよりも係数Ｅ大きい閾値（ｙＨ＋Ｅ）以上の範囲内に、導出部１１０により導出された脂質代謝がある場合、対象者の脂質代謝が高いと判定する。
【００４２】
判定部１１２は、低代謝時期において、脂質代謝ｙＬよりも係数Ｆ小さい閾値（ｙＬ−Ｆ）未満の範囲内に、導出部１１０により導出された脂質代謝がある場合、対象者の脂質代謝が低いと判定する。また、判定部１１２は、低代謝時期において、脂質代謝ｙＬよりも係数Ｇ大きい閾値（ｙＬ＋Ｇ）以上の範囲内に、導出部１１０により導出された脂質代謝がある場合、対象者の脂質代謝が高いと判定する。
【００４３】
次に、図８〜１３を参照して、情報提示装置１００の動作を説明する。図８〜１３は、情報提示装置１００の動作を示すフローチャートである。
初めに、図８〜１０を参照して、判定部１１２による月経周期の判定処理の一例について説明する。
まず、対象者が、操作部３０を介して、各設定値を入力する（ステップＳＴ１０１）。ＣＰＵ９０は、入力された設定値を受け付け、ＲＡＭ９４に書き込む。例えば、対象者は、月経が始まった日（以下、月経初日という。）、月経周期の日数、及び、月経期間等を、操作部３０を介して選択し、設定する。また、対象者は、自身の性別、年齢、体重、身長、体脂肪率、筋肉スコア等を、操作部３０を介して選択し、設定してもよい。ここで、体重、身長、体脂肪率、筋肉スコア等を示す情報を体組成情報という。
【００４４】
次に、半導体式ガスセンサ６６が、対象者の呼気に含まれているアセトンの濃度を測定する（ステップＳＴ１０２）。
導出部１１０は、アセトンの濃度の測定結果と、例えば評価式（３）とに基づいて、対象者の基準時間（例えば、１時間）あたりの安静時の脂質代謝ｙ１を導出する（ステップＳＴ１０３）。
【００４５】
次いで、判定部１１２は、ＲＡＭ９４を参照して、測定日に基づき、対象者が該当する月経周期の位置を予測する（ステップＳＴ１０４）。ここで、判定部１１２により予測される月経周期の位置を、予測月経周期という。例えば、前回の月経初日が１２月１日、月経周期の長さが２８日間、月経期間が５日間であることがＲＡＭ９４に設定されているとする。月経は、排卵の１４日後に起こることが知られている。このことから、次回の月経が１２月２８日と予測されるため、排卵は１２月１４日頃であると予測される。判定部１１２は、このような規則に基づき、１２月１〜５日が月経期、１２月６〜１２日が卵胞期、１２月１３〜１５日が排卵期、１２月１６〜２８日が黄体期であると予測できる。判定部１１２は、これらの月経周期の中から、測定日が該当する予測月経期間を求める。なお、ここに説明した予測月経周期の求め方は一例であり、これ以外の規則に基づき求めても良い。
【００４６】
判定部１１２は、予測月経周期が卵胞期か否かを判定する（ステップＳＴ１０５）。
予測月経周期が卵胞期である場合（ステップＳＴ１０５−ＹＥＳ）、判定部１１２は、ステップＳＴ１０３において導出部１１０が導出した脂質代謝ｙ１に基づき、脂質代謝ｙＬを、ＲＡＭ９４に設定する（ステップＳＴ１０６）。実施形態において、判定部１１２は、ＲＡＭ９４に脂質代謝ｙＬが設定されていない場合、導出部１１０が導出した脂質代謝ｙ１を、脂質代謝ｙＬとする。
提示制御部１１４は、判定部１１２の判定結果に基づき、脂質代謝ｙＬが設定されたことを、提示部２０の表示装置に表示させる（ステップＳＴ１０７）。
【００４７】
次に、図９を参照して、ステップＳＴ１０５でＮＯと判定された場合の処理について説明する。
ステップＳＴ１０５において、予測月経周期が卵胞期でない場合（ステップＳＴ１０５−ＮＯ）、判定部１１２は、予測月経周期がもうすぐ排卵期か否かを判定する（ステップＳＴ２０１）。例えば、判定部１１２は、測定日に基づき卵胞期の中期から排卵期の初期の間であると予測された場合、もうすぐ排卵期であると判定する。
【００４８】
予測月経周期がもうすぐ排卵期であると判定された場合（ステップＳＴ２０１−ＹＥＳ）、判定部１１２は、ＲＡＭ９４から脂質代謝ｙＬを読み出し、導出部１１０が導出した脂質代謝ｙ１と比較する（ステップＳＴ２０２）。
具体的に説明すると、判定部１１２は、ＲＡＭ９４から、脂質代謝ｙＬと係数Ａとを読み出し、導出部１１０が導出した脂質代謝ｙ１が、脂質代謝ｙＬよりも係数Ａ小さい閾値（ｙＬ−Ａ）から係数Ａ大きい閾値（ｙＬ＋Ａ）までの範囲内にあるか否かを判定する（ステップＳＴ２０３）。ここで、判定部１１２は、導出部１１０が導出した脂質代謝ｙ１が脂質代謝ｙＬに近いか否かを判定している。
【００４９】
脂質代謝ｙ１が脂質代謝ｙＬよりも係数Ａ小さい閾値（ｙＬ−Ａ）から係数Ａ大きい閾値（ｙＬ＋Ａ）までの範囲内［（ｙＬ−Ａ）≦ｙ１≦（ｙＬ＋Ａ）］であると判定された場合（ステップＳＴ２０３−ＹＥＳ）、判定部１１２は、対象者が該当する月経周期内の位置が、卵胞期の後期であると判定する（ステップＳＴ２０４）。
そして、判定部１１２は、導出部１１０が導出した脂質代謝ｙ１に基づき、脂質代謝ｙＬを再設定する（ステップＳＴ２０５）。実施形態において、判定部１１２は、ＲＡＭ９４から読み出した脂質代謝ｙＬと、導出部１１０が導出した脂質代謝ｙ１との平均値を算出し、算出した平均値を新たな脂質代謝ｙＬの設定値として、ＲＡＭ９０４に書き込む。
【００５０】
一方、ステップＳＴ２０３において、脂質代謝ｙ１が脂質代謝ｙＬよりも係数Ａ小さい閾値（ｙＬ−Ａ）から係数Ａ大きい閾値（ｙＬ＋Ａ）までの範囲内［（ｙＬ−Ａ）≦ｙ１≦（ｙＬ＋Ａ）］でないと判定された場合（ステップＳＴ２０３−ＮＯ）、判定部１１２は、脂質代謝ｙ１が脂質代謝ｙＬよりも係数Ｂ大きい閾値（ｙＬ＋Ｂ）以上であるか否かを判定する（ステップＳＴ２０６）。ここで、判定部１１２は、脂質代謝ｙ１が脂質代謝ｙＬよりも所定値以上大きいか否かを判定している。
脂質代謝ｙ１が脂質代謝ｙＬよりも係数Ｂ大きい閾値（ｙＬ＋Ｂ）以上である［ｙ１≧（ｙＬ＋Ｂ）］と判定された場合（ステップＳＴ２０６−ＹＥＳ）、判定部１１２は、対象者が該当する月経周期内の位置が、黄体期の初期であると判定する（ステップＳＴ２０７）。
そして、判定部１１２は、導出部１１０が導出した脂質代謝ｙ１に基づき、脂質代謝ｙＨを、ＲＡＭ９４に設定する（ステップＳＴ２０８）。実施形態において、判定部１１２は、ＲＡＭ９４に脂質代謝ｙＨが設定されていない場合、導出部１１０が導出した脂質代謝ｙ１を、脂質代謝ｙＨとする。
【００５１】
ステップＳＴ２０６において、脂質代謝ｙ１が脂質代謝ｙＬよりも係数Ｂ大きい閾値（ｙＬ＋Ｂ）未満である［ｙ１＜（ｙＬ＋Ｂ）］と判定された場合（ステップＳＴ２０６−ＮＯ）、判定部１１２は、対象者が該当する月経周期内の位置が、排卵期であると判定する（ステップＳＴ２０９）。
そして、提示制御部１１４は、判定部１１２による判定結果を、提示部２０の表示装置に表示させる（ステップＳＴ２１０）。
【００５２】
次に、図１０を参照して、ステップＳＴ２０１でＮＯと判定された場合の処理について説明する。
ステップＳＴ２０１において、予測月経周期が排卵期でない場合（ステップＳＴ２０１−ＮＯ）、判定部１１２は、予測月経周期が、もうすぐ月経期か否かを判定する（ステップＳＴ３０１）。例えば、判定部１１２は、測定日に基づき黄体期の中期から月経期の初期の間であると予測された場合、もうすぐ月経期であると判定する。
【００５３】
予測月経周期がもうすぐ月経期であると判定された場合（ステップＳＴ３０１−ＹＥＳ）、判定部１１２は、ＲＡＭ９４から脂質代謝ｙＨを読み出し、導出部１１０が導出した脂質代謝ｙ１と比較する（ステップＳＴ３０２）。
具体的に説明すると、判定部１１２は、ＲＡＭ９４から、脂質代謝ｙＨと係数Ｃとを読み出し、導出部１１０が導出した脂質代謝ｙ１が、脂質代謝ｙＨよりも係数Ｃ小さい閾値（ｙＨ−Ｃ）か否かを判定する（ステップＳＴ３０３）。ここで、判定部１１２は、脂質代謝ｙ１が脂質代謝ｙＨよりも所定値以上小さいか否かを判定している。
【００５４】
脂質代謝ｙ１が脂質代謝ｙＨよりも係数Ｃ小さい閾値（ｙＨ−Ｃ）未満である［ｙ１＜（ｙＨ−Ｃ）］と判定された場合（ステップＳＴ３０３−ＹＥＳ）、判定部１１２は、対象者が該当する月経周期内の位置が、月経期に近いと判定する（ステップＳＴ３０４）。
一方、脂質代謝ｙ１が脂質代謝ｙＨよりも係数Ｃ小さい閾値（ｙＨ−Ｃ）以上［ｙ１≧（ｙＨ−Ｃ）］であると判定された場合（ステップＳＴ３０３−ＮＯ）、判定部１１２は、対象者が該当する月経周期内の位置が、黄体期であると判定する（ステップＳＴ３０５）。
そして、提示制御部１１４は、判定部１１２による判定結果を、提示部２０の表示装置に表示させる（ステップＳＴ３０６）。
【００５５】
なお、上述において、判定部１１２は、脂質代謝ｙＬまたは脂質代謝ｙＨと、導出部１１０により導出された脂質代謝ｙ１との比較結果に基づき、対象者が該当する月経周期内の位置を判定する例について説明したが、これに限られない。例えば、判定部１１２は、前回測定された脂質代謝との変化量に基づき、対象者が該当する月経周期内の位置を判定してもよい。例えば、低代謝時期において、前日の測定結果よりも、導出部１１０により導出された脂質代謝ｙ１が係数Ｂ以上上昇した場合、判定部１１２は、排卵期であると判定してもよい。また、高代謝時期において、前日の測定結果よりも、導出部１１０により導出された脂質代謝ｙ１が係数Ｃ以上低下した場合、判定部１１２は、月経期が近いと判定してもよい。
【００５６】
次に、図１１を参照して、判定部１１２により月経周期が判定された後の処理について説明する。
判定部１１２は、月経周期が判定されたか否かを判定する（ステップＳＴ４０１）。
月経周期が判定されている場合（ステップＳＴ４０１−ＹＥＳ）、判定部１１２は、判定された月経周期の位置が黄体期であるか否かを判定する（ステップＳＴ４０２）。判定された月経周期の位置が黄体期であると判定された場合（ステップＳＴ４０２−ＹＥＳ）、判定部１１２は、ＲＡＭ９４から脂質代謝ｙＨを読み出し、導出部１１０が導出した脂質代謝ｙ１と比較する（ステップＳＴ４０３）。
【００５７】
具体的に説明すると、判定部１１２は、ＲＡＭ９４から、脂質代謝ｙＨと係数Ｄとを読み出し、導出部１１０が導出した脂質代謝ｙ１が、脂質代謝ｙＨよりも係数Ｄ小さい閾値（ｙＨ−Ｄ）未満であるか否かを判定する（ステップＳＴ４０４）。ここで、判定部１１２は、脂質代謝ｙ１が脂質代謝ｙＨよりも所定値以上小さいか否かを判定している。
脂質代謝ｙ１が脂質代謝ｙＨよりも係数Ｄ小さい閾値（ｙＨ−Ｄ）未満である［ｙ１＜（ｙＨ−Ｄ）］と判定された場合（ステップＳＴ４０４−ＹＥＳ）、判定部１１２は、対象者の脂質代謝が低いと判定する（ステップＳＴ４０５）。
【００５８】
一方、導出部１１０が導出した脂質代謝ｙ１が、高代謝時期の脂質代謝ｙＨよりも係数Ｄ小さい閾値（ｙＨ−Ｄ）以上である［ｙ１≧（ｙＨ−Ｄ）］と判定された場合（ステップＳＴ４０４−ＮＯ）、判定部１１２は、ＲＡＭ９４から、係数Ｅとを読み出し、導出部１１０が導出した脂質代謝ｙ１が、脂質代謝ｙＨよりも係数Ｅ大きい閾値（ｙＨ＋Ｅ）以上であるか否かを判定する（ステップＳＴ４０６）。ここで、判定部１１２は、脂質代謝ｙ１が脂質代謝ｙＨよりも所定値以上大きいか否かを判定している。
脂質代謝ｙ１が脂質代謝ｙＨよりも係数Ｅ大きい閾値（ｙＨ＋Ｅ）以上である［ｙ１≧（ｙＨ＋Ｅ）］と判定された場合（ステップＳＴ４０６−ＹＥＳ）、判定部１１２は、対象者の脂質代謝が高いと判定する（ステップＳＴ４０７）。
【００５９】
そして、提示制御部１１４は、判定部１１２による判定結果を、提示部２０の表示装置に表示させる（ステップＳＴ４０８）。
例えば、高代謝時期において、判定部１１２により対象者の脂質代謝が低いと判定された場合、提示制御部１１４は、脂質代謝が低下していることを提示するとともに、脂質代謝が低下する要因を提示してもよい。具体的には、提示制御部１１４が、「脂質代謝が低下しています」「極端に食べ過ぎていませんか」「運動不足ではありませんか」「トレーニングをさぼっていませんか」・・・などを提示する。これにより、対象者に対して、脂質代謝が落ちていることを喚起させると共に、脂質代謝の低下を防止するよう喚起させることができる。
また、高代謝時期において、判定部１１２により対象者の脂質代謝が高いと判定された場合、提示制御部１１４は、脂質代謝が上昇しすぎていることを提示するとともに、代謝上昇への警告を提示してもよい。具体的には、提示制御部１１４が、「脂質代謝が上昇しすぎています」「トレーニングをがんばりすぎていません」「むくみやすい時期なので、ゆっくり休みましょう」「リラックスして過ごしましょう」・・・などを提示する。これにより、対象者に対して、脂質代謝が上昇しすぎていることを喚起させると共に、がんばりすぎを防止するよう喚起させることができる。
【００６０】
次に、図１２を参照して、ステップＳＴ４０２でＮＯと判定された場合の処理について説明する。
ステップＳＴ４０２において、判定された月経周期の位置が黄体期でないと判定された場合（ステップＳＴ４０２−ＮＯ）、判定部１１２は、判定された月経周期の位置が卵胞期であるか否かを判定する（ステップＳＴ５０１）。判定された月経周期の位置が卵胞期であると判定された場合（ステップＳＴ５０１−ＹＥＳ）、判定部１１２は、ＲＡＭ９４から脂質代謝ｙＬを読み出し、導出部１１０が導出した脂質代謝ｙ１と比較する（ステップＳＴ５０２）。
【００６１】
具体的に説明すると、判定部１１２は、ＲＡＭ９４から、脂質代謝ｙＬと係数Ｆとを読み出し、導出部１１０が導出した脂質代謝ｙ１が、脂質代謝ｙＬよりも係数Ｆ小さい閾値（ｙＬ−Ｆ）未満であるか否かを判定する（ステップＳＴ５０３）。ここで、判定部１１２は、脂質代謝ｙ１が脂質代謝ｙＬよりも所定値以上小さいか否かを判定している。
脂質代謝ｙ１が脂質代謝ｙＬよりも係数Ｆ小さい閾値（ｙＬ−Ｆ）未満である［ｙ１＜（ｙＬ−Ｆ）］と判定された場合（ステップＳＴ５０３−ＹＥＳ）、判定部１１２は、対象者の脂質代謝が低いと判定する（ステップＳＴ５０４）。
【００６２】
一方、導出部１１０が導出した脂質代謝ｙ１が、脂質代謝ｙＬよりも係数Ｆ小さい閾値（ｙＬ−Ｆ）以上である［ｙ１≧（ｙＬ−Ｆ）］であると判定された場合（ステップＳＴ５０３−ＮＯ）、判定部１１２は、ＲＡＭ９４から、係数Ｇを読み出し、導出部１１０が導出した脂質代謝ｙ１が、脂質代謝ｙＬよりも係数Ｇ大きい閾値（ｙＬ＋Ｇ）以上であるか否かを判定する（ステップＳＴ５０５）。ここで、判定部１１２は、脂質代謝ｙ１が脂質代謝ｙＬよりも所定値以上大きいか否かを判定している。
脂質代謝ｙ１が脂質代謝ｙＬよりも係数Ｇ大きい閾値（ｙＬ＋Ｇ）以上である［ｙ１≧（ｙＬ＋Ｇ）］と判定された場合（ステップＳＴ５０５−ＹＥＳ）、判定部１１２は、対象者の脂質代謝が高いと判定する（ステップＳＴ５０６）。
そして、提示制御部１１４は、判定部１１２による判定結果を、提示部２０の表示装置に表示させる（ステップＳＴ５０７）。
【００６３】
次に、図１３を参照して、判定部１１２により月経周期が判定された後の他の処理について説明する。
提示制御部１１４は、判定部１１２により月経周期が判定されたか否かを判定する（ステップＳＴ６０１）。
月経周期が判定されている場合（ステップＳＴ６０１−ＹＥＳ）、提示制御部１１４は、月経周期に応じたトレーニングを提示するか否かを判定する（ステップＳＴ６０２）。例えば、操作部３０を介して、月経周期に応じたトレーニングの提示を要求する指示が対象者からあった場合、提示制御部１１４は、月経周期に応じたトレーニングを提示すると判定する。
【００６４】
月経周期に応じたトレーニングを提示する場合（ステップＳＴ６０２−ＹＥＳ）、提示制御部１１４は、判定部１１２により判定された月経周期に応じたトレーニングの種類を決定し、決定したトレーニングの種類を、提示部２０の表示装置に表示させる（ステップＳＴ６０３）。例えば、脂質代謝ｙ１に基づき判定部１１２により卵胞期と判定された場合、提示制御部１１４は、ハードなトレーニングを提示部２０の表示装置に表示させる。一方、脂質代謝ｙ１に基づき判定部１１２により月経期、排卵期または黄体期と判定された場合、提示制御部１１４は、ソフトなトレーニングを提示部２０の表示装置に表示させる。
ここで、提示制御部１１４は、月経周期に応じたダイエットの種類を決定し、提示部２０の表示装置に表示させてもよい。例えば、脂質代謝ｙ１に基づき判定部１１２により排卵期、黄体期または月経期と判定された場合、提示制御部１１４は、むくみやすい時期なのでダイエット効果が期待できないこと等を提示部２０の表示装置に表示させる。一方、脂質代謝ｙ１に基づき判定部１１２により卵胞期と判定された場合、提示制御部１１４は、ダイエット効果が期待できること等を提示部２０の表示装置に表示させる。
【００６５】
次いで、提示制御部１１４は、月経周期に応じたダイエット評価を提示するか否かを判定する（ステップＳＴ６０４）。例えば、操作部３０を介して、月経周期に応じたダイエット評価の提示を要求する指示が対象者からあった場合、提示制御部１１４は、月経周期に応じたダイエット評価を提示すると判定する。
【００６６】
月経周期に応じたダイエット評価を提示する場合（ステップＳＴ６０４−ＹＥＳ）、提示制御部１１４は、ＲＡＭ９４から読み出した体組成情報に基づき、判定部１１２により判定された月経周期に応じたダイエット評価を決定し、決定したダイエット評価を、提示部２０の表示装置に表示させる（ステップＳＴ６０５）。
実施形態において、提示制御部１１４は、体組成情報に基づき、対象者の体重の推移を求め、体重が増加しているか、減少しているか、あるいは、停滞しているかを判定する。なお、提示制御部１１４は、体組成情報に基づき、対象者の体組成の推移を求め、体脂肪率が減少している否か、筋肉量が増加しているか否かを判定してもよい。
例えば、脂質代謝ｙ１に基づき判定部１１２により排卵期、黄体期または月経期と判定された場合、提示制御部１１４は、体重が減っていなくても、「ダイエット忍耐時期です。」等を提示する。これにより、むくみやすい時期なので体重が落ちていなくても、ダイエットが失敗していないことを提示し、ダイエットが継続できるように励ますメッセージを対象者に提示することができる。一方、脂質代謝ｙ１に基づき判定部１１２により卵胞期と判定された場合、提示制御部１１４は、体重が減っていない場合、「ダイエットさぼっていませんか。」「がんばって」等を提示する。これにより、ダイエットに効果的な時期にトレーニングや食事制限等を促すことができる。
【００６７】
なお、本発明はこれに限られない。例えば、月経周期が判定されている場合、提示制御部１１４は、月経周期の体の状態に応じた運動に関するアドバイス、肌の状態と美容に関するアドバイス、身体的な症状、および、精神的症状等を提示部２０に提示させてもよい。
月経周期の体の状態に応じた運動に関するアドバイスの一例について説明する。例えば、月経期には、「月経痛を和らげる運動として、仰向けのまま膝を抱え、腹部に力を入れて膝を胸に引き寄せた状態で、息を吐きながら足を元に戻す。この運動を１０回繰り返す」ことを、提示制御部１１４が提示部２０から提示させる。卵胞期には、ダイエットの体操は空腹時に行い、食事は体操の後にすることを提案する情報を、提示制御部１１４が提示部２０から提示させる。黄体期には、運動は自律神経のバランスを取り、月経前の不安やイライラを緩和してくれることを、提示制御部１１４が提示部２０から提示させる。
月経周期の肌の状態と美容に関するアドバイスの一例について説明する。例えば、月経期には、肌が乾燥しているが、必要以上のスキンケアは逆効果であること、気分が落ち込んでいることも肌に影響している可能性があるので、気分転換を心がけることを、提示制御部１１４が提示部２０から提示させる。卵胞期には、コラーゲン生成が活発になり、肌や髪がうるおい、血行がよくなるため、パックやマッサージ、むだ毛の処理、パーマやカラーリングはこの時期がお勧めであることを、提示制御部１１４が提示部２０から提示させる。排卵期には、皮脂分泌やメラニンが活発になるため、刺激の強いパックや化粧品は避けて、日焼け対策等を忘れないようにすることを、提示制御部１１４が提示部２０から提示させる。
月経周期の身体的な症状の一例について説明する。例えば、月経期には、のぼせ、眠気、冷え、貧血、肩こり等があることを、提示制御部１１４が提示部２０から提示させる。排卵前後には、軽い下腹部の痛み、腹部のはり、一時的なほてりやのぼせ等があることを、提示制御部１１４が提示部２０から提示させる。黄体期には、疲れやすい、だるい、眠気、体がスムーズに動かない、アレルギー症状が出やすい、下腹部の痛み等があることを、提示制御部１１４が提示部２０から提示させる。
月経期の精神的症状の一例について説明する。例えば、月経期にはイライラすること、卵胞期には気力が充実し、集中力がアップすることを、提示制御部１１４が提示部２０から提示させる。黄体期には、物事が面倒くさくなり、他人と口論し、家に引きこもりがちになり、一人でいたいと思うようになることを、提示制御部１１４が提示部２０から提示させる。
【００６８】
次に、図１４〜１７を参照して、提示制御部１１４による提示例について説明する。
図１４は、判定部１１２による判定結果の一例を示す表示例の図である。図１４に示す表示例では、判定部１１２により判定された月経周期が「黄体期」であることが表示されている。また、図１４に示す表示例では、前回の月経初日からの経過日数が「２５日目／２８日」であることが表示されている。なお、２８日とは、月経周期の長さである。図１４に示す表示例では、判定部１１２による判定結果とともに、判定結果に基づく情報である「ストレスをためないように・・・リラックスをしてすごしましょう」が表示されている。
【００６９】
図１５は、導出部１１０による導出結果の一例を示す表示例の図である。図１５に示す表示例では、導出部１１０により導出された安静時の脂質代謝ｙ１が「１００３ｋｃａｌ／日」であることが表示されている。提示制御部１１４は、導出部１１０による導出結果に基づき、図１５に示すような画像を、提示部２０に表示させることができる。また、提示制御部１１４は、検出されたアセトンの濃度に基づき、一日の消費エネルギーの予測値である「総消費予測」を算出し、総消費予測が「１９５５ｋｃａｌ／日」であることを、提示部２０に表示させてもよい。また、提示制御部１１４は、検出されたアセトンの濃度に基づき、一日の脂肪燃焼量の予測値である「脂肪燃焼量」を算出し、脂肪燃焼量が「３２２ｇ／日」であることを、提示部２０に表示させてもよい。また、導出部１１０により導出された導出結果は予測値であるため、提示制御部１１４は、「※今後の行動によって変化します。」という注意を喚起するコメントを提示部２０に表示させてもよい。
【００７０】
図１６は、導出部１１０による導出結果と判定部１１２による判定結果の一例を示す表示例の図である。図１６に示す表示例では、導出部１１０により導出された脂質代謝ｙ１の推移を示す棒グラフ（脂質燃焼量グラフ）が表示されている。この脂質燃焼量グラフは、消費カロリーの数位を示すグラフであってもよい。この脂質燃焼量グラフにより、月経周期と脂質代謝ｙ１との変化の関係を把握することが容易になる。また、図１６に示す表示例では、前回の月経初日からの経過日数が「２５日目／２８日」であることが表示されている。
【００７１】
図１７は、判定部１１２による判定結果に基づく情報の一例を示す表示例の図である。図１７に示す表示例では、月経周期に適したトレーニング目標「リラックスできる好きなことをして過ごしましょう」、美容アドバイス「肌荒れにはビタミンＢ、Ｃ  イライラにはカルシウム、マグネシウム  イラっときたら深呼吸・・・☆」、及び、おすすめ食材「納豆、ほうれん草、バナナ」が表示されている。このように、提示制御部１１４は、判定部１１２の判定結果に基づき、月経周期に応じた生活のアドバイスや食材のアドバイスを、提示部２０に表示させてもよい。
【００７２】
以上説明した本実施形態の情報提示装置１００によれば、導出部１１０により導出された脂質代謝に基づき対象者が該当する月経周期内の位置を判定し、判定結果を提示部２０の表示装置に表示させることができる。これにより、対象者は、吹き込み口１０に対して呼気を数秒吹き込むという簡単な操作により、月経周期を容易に把握することができる。
【００７３】
また、本実施形態の情報提示装置１００によれば、導出部１１０により導出された脂質代謝と、月経周期に応じて変化する周期代謝とを比較した比較結果に基づき、対象者が該当する月経周期内の位置を判定する。これにより、周期代謝の変化を利用して、対象者が該当する月経周期内の位置を容易に判定することができる。
【００７４】
また、本実施形態の情報提示装置１００によれば、予め設定された設定情報に基づき測定日が該当する月経周期内の位置を予測し、予測した月経周期内の位置に応じて、脂質代謝と比較される周期代謝の値を変更する。この構成により、周期代謝の変化に応じて月経周期を精度よく判定することができる。
【００７５】
また、本実施形態の情報提示装置１００によれば、導出部１１０により導出された脂質代謝と周期代謝との差分に基づき、対象者の脂質代謝が基準値よりも高いかあるいは低いかを判定する。この構成により、周期代謝の変化に応じて脂質代謝が高いか否かを精度よく判定することができる。
【００７６】
また、本実施形態の情報提示装置１００によれば、導出部１１０により導出された脂質代謝ｙ１と、月経周期のうち代謝が低い低代謝時期の脂質代謝ｙＬとの比較結果に基づき、対象者が該当する月経周期内の位置が排卵期であるか否かを判定する。この構成により、卵胞期から排卵期への移行時期を精度よく判定することができる。
【００７７】
また、本実施形態の情報提示装置１００によれば、導出部１１０により導出された脂質代謝ｙ１と、月経周期のうち代謝が高い高代謝時期の脂質代謝ｙＨとの比較結果に基づき、対象者が該当する月経周期内の位置が月経期に近いか否かを判定する。この構成により、黄体期から月経期への移行時期を精度よく判定することができる。
【００７８】
また、本実施形態の情報提示装置１００によれば、判定された月経周期内の位置が黄体期である場合、導出部１１０により導出された脂質代謝が、月経周期のうち代謝が高い高代謝時期の脂質代謝よりも低いならば、対象者の脂質代謝が基準値よりも低いと判定し、高代謝時期の脂質代謝よりも高いならば、対象者の脂質代謝が基準値よりも高いと判定する。この構成により、周期代謝が高い高代謝時期である黄体期には、基準値を高代謝時期の脂質代謝とすることができるため、周期代謝の変化に応じて脂質代謝が高いか否かを精度よく判定することができる。
【００７９】
また、本実施形態の情報提示装置１００によれば、判定された月経周期内の位置が卵胞期である場合、導出部１１０により導出された脂質代謝が、月経周期のうち代謝が低い低代謝時期の脂質代謝よりも低いならば、対象者の脂質代謝が基準値よりも低いと判定し、低代謝時期の脂質代謝よりも高いならば、対象者の脂質代謝が基準値よりも高いと判定する。この構成により、周期代謝が低い低代謝時期である卵胞期には、基準値を低代謝時期の脂質代謝とすることができるため、周期代謝の変化に応じて脂質代謝が高いか否かを精度よく判定することができる。
【００８０】
また、本実施形態の情報提示装置１００によれば、判定部１１２により判定された月経周期に応じたトレーニングまたはダイエットのうち少なくとも一つを提示する。この構成により、月経周期に応じて、体への負担がかかる時期のトレーニングやダイエットを控えるよう提示し、ダイエットに効果的な時期においてトレーニングを促すことができる。よって、月経周期に応じて効果的なアドバイスを対象者に提供することができる。
【００８１】
また、本実施形態の情報提示装置１００によれば、対象者の体重と体組成との推移に基づき、判定部１１２により判定された月経周期に応じたダイエットの評価を提示する。この構成により、月経周期に応じて、ダイエットの結果を適切に評価することができる。
【００８２】
（第２の実施形態）
第２の実施形態では、情報提示装置１００とガス測定装置１とが通信可能な別体の装置である点が、第１の実施形態と相違する。第２の実施形態では、第１の実施形態との相違点についてのみ説明する。
【００８３】
図１８は、第２の実施形態における、情報提示装置１００の構成図である。第２の実施形態では、情報提示装置１００は、ガス測定装置１と通信可能な別体の装置である。以下、第２の実施形態におけるガス測定装置１を、「ガス測定装置１ａ」という。ガス測定装置１ａは、インタフェース２００を更に備える。インタフェース２００は、半導体式ガスセンサ６６や第２センサ７２による測定結果等の情報を、情報提示装置１００に送信する。
【００８４】
情報提示装置１００は、例えば、スマートフォンやパーソナルコンピュータなどの情報端末や、リストバンドや眼鏡型表示装置などのウェアラブル機器である。第２の実施形態における情報提示装置１００は、半導体式ガスセンサ６６と、第２センサ７２と、インタフェース２０１とを備える。インタフェース２０１は、半導体式ガスセンサ６６や第２センサ７２による測定結果等の情報を、ガス測定装置１ａから受信する。インタフェース２０１は、受信した測定結果等の情報を、Ｉ／Ｏ９８に転送する。ＣＰＵ９０は、受信した測定結果等の情報を、Ｉ／Ｏ９８を介して取得する。ＣＰＵ９０は、受信した測定結果等の情報に基づいて、第１の実施形態と同様に動作する。
【００８５】
以上のように、第２の実施形態の情報提示装置１００は、情報を提示する提示部２０と、別体の装置であるガス測定装置１ａから受信した、呼気に含まれている物質の濃度を測定した結果を、インタフェース２０１を介して取得し、取得した結果に基づいて、基準時間あたりの脂肪の燃焼量を導出する導出部１１０と、脂肪の燃焼量を食品の体積に換算し、換算した食品の体積を表す情報を提示部２０に提示させる制御部１２０とを備える。
この構成によって、第２の実施形態の情報提示装置１００は、対象者は、自身が所持する情報端末を利用して、容易に健康に関する状態を把握することができる。
【００８６】
以上、本発明を実施するための形態について実施形態を用いて説明したが、本発明はこうした実施形態に何等限定されるものではなく、本発明の要旨を逸脱しない範囲内において種々の変形及び置換を加えることができる。
例えば、なお、導出部１１０は、皮膚ガス、尿、唾液又は汗に含まれている物質の濃度を測定した結果に基づいて、基準時間あたりの脂肪の燃焼量を導出してもよい。また、測定した結果は、アセトン以外のケトン体の濃度を測定した結果でもよい。
【符号の説明】
【００８７】
１…ガス測定装置、１ａ…ガス測定装置、２…本体部、３…カバー部、５…ベース部、６…部材、６Ａ…つまみ部、１０…吹き込み口、２０…提示部、３０…操作部、５０…吸着剤収容部、５２…孔部、５４…孔部、５６…孔部、６０…半導体式ガスセンサユニット、６０Ａ…半導体式ガスセンサユニット、６２…筐体、６２Ａ…孔部、６６…半導体式ガスセンサ、７２…第２センサ、７４…ソレノイドバルブ、７６…圧力センサ、８２…タイマ、８４…電源、９０…ＣＰＵ、９２…ＲＯＭ、９４…ＲＡＭ、９６…不揮発性メモリ、９８…Ｉ／Ｏ、１００…情報提示装置、１１０…導出部、１１２…判定部、１１４…提示制御部、２００…インタフェース、２０１…インタフェース
【図１】
2016087170.tif 000003
【図２】
2016087170.tif 000004
【図３】
2016087170.tif 000005
【図４】
2016087170.tif 000006
【図５】
2016087170.tif 000007
【図６】
2016087170.tif 000008
【図７】
2016087170.tif 000009
【図８】
2016087170.tif 000010
【図９】
2016087170.tif 000011
【図１０】
2016087170.tif 000012
【図１１】
2016087170.tif 000013
【図１２】
2016087170.tif 000014
【図１３】
2016087170.tif 000015
【図１４】
2016087170.tif 000016
【図１５】
2016087170.tif 000017
【図１６】
2016087170.tif 000018
【図１７】
2016087170.tif 000019
【図１８】
2016087170.tif 000020